(57)【要約】  楽曲解析装置（１）は、楽曲データ（ＳＤ）の拍位置を検出、または外部機器で検出した拍位置を取得する拍位置取得部（２１）と、楽曲データ（ＳＤ）を、一定の拍間隔で分割した均等拍位置を算出する均等拍位置算出部（２２）と、拍位置取得部（２１）により取得された拍位置、および均等拍位置算出部（２２）により算出された均等拍位置を比較する拍位置比較部（２３）と、拍位置比較部（２３）の比較結果に基づいて、楽曲データ（ＳＤ）のジャンルを判定するジャンル判定部（２４）と、を備えている。
2019053766.tif 000002
【特許請求の範囲】
【請求項１】
楽曲データの拍位置を検出、または外部機器で検出した拍位置を取得する拍位置取得部と、
前記楽曲データを、一定の拍間隔で分割した均等拍位置を算出する均等拍位置算出部と、
前記拍位置取得部により取得された拍位置、および前記均等拍位置算出部により算出された均等拍位置を比較する拍位置比較部と、
前記拍位置比較部の比較結果に基づいて、前記楽曲データのジャンルを判定するジャンル判定部と、
を備えていることを特徴とする楽曲解析装置。
【請求項２】
請求項１に記載の楽曲解析装置において、
前記均等拍位置算出部は、前記楽曲データを１６分音符の拍間隔で分割することを特徴とする楽曲解析装置。
【請求項３】
請求項１または請求項２に記載の楽曲解析装置において、
前記ジャンル判定部は、前記楽曲データが、クラブミュージックまたはダンスミュージックであるか否かを判定することを特徴とする楽曲解析装置。
【請求項４】
請求項１から請求項３のいずれか一項に記載の楽曲解析装置において、
前記拍位置比較部は、前記拍位置取得部により取得された拍位置と、前記均等拍位置算出部により算出された均等拍位置との、ずれの時間変化が一定であるか否かを判定することを特徴とする楽曲解析装置。
【請求項５】
コンピュータを、
楽曲データの拍位置を検出、または外部機器で検出した拍位置を取得する拍位置取得部と、
前記楽曲データを、一定の拍間隔で分割した均等拍位置を算出する均等拍位置算出部と、
前記拍位置取得部により取得された拍位置、および前記均等拍位置算出部により算出された均等拍位置を比較する拍位置比較部と、
前記拍位置比較部の比較結果に基づいて、前記楽曲データのジャンルを判定するジャンル判定部と、
として機能させることを特徴とする楽曲解析プログラム。
【発明の詳細な説明】
【技術分野】
【０００１】
本発明は、楽曲解析装置および楽曲解析プログラムに関する。
【背景技術】
【０００２】
歌唱や演奏で構成される楽曲においては、ＢＰＭ（Beats Per Minute）がゆっくり揺れることにより、正確な楽譜上の小節区切りの１拍目の位置に対しての相対関係が、曲が進むにつれて連続的にずれていったり、近づいたりする。
特許文献１には、対象楽曲における各音符の位置に応じた分散の確率分布で発生する乱数に応じて、当該音符の発音時点の変動量を設定する技術が開示されている。
特許文献１に記載の技術によれば、楽曲の各音符について実際の傾向に整合した自然な変動量を設定できる、という効果を奏することができる。【０００３】
一方、クラブミュージック、ダンスミュージックと呼ばれる楽曲ジャンルにおいては、楽器の発音位置を、コンピュータ等で打ち込むことにより行うことが多く、楽曲の正確な発音位置における楽器の発音を実現することができる。このため、クラブミュージック、ダンスミュージックにおいては、楽曲のテンポ（ＢＰＭ）が変動することがない。
【先行技術文献】
【特許文献】
【０００４】
【特許文献１】特開２０１５−１４８６６３号公報
【発明の概要】
【発明が解決しようとする課題】
【０００５】
ところで、クラブミュージック、ダンスミュージックは、クラブ、ディスコ等のＤＪ会場で演奏され、聴取者は楽曲の演奏に応じて踊ることが多く、楽曲の演奏に応じてＤＪ会場内の照明演出が行われる。
クラブミュージック、ダンスミュージックでは、派手な照明演出が行われるため、楽曲ジャンルに応じて、適切な照明演出を行うことが要望されている。
したがって、演奏される楽曲データのジャンルがクラブミュージック、ダンスミュージック等であるかを迅速に判別することができれば、それに応じて、最適な照明演出を行うことができる。【０００６】
本発明の目的は、クラブミュージック、ダンスミュージック等を適切に判別することのできる楽曲解析装置および楽曲解析プログラムを提供することにある。
【課題を解決するための手段】
【０００７】
本発明の楽曲解析装置は、
楽曲データの拍位置を検出、または外部機器で検出した拍位置を取得する拍位置取得部と、
前記楽曲データを、一定の拍間隔で分割した均等拍位置を算出する均等拍位置算出部と、
前記拍位置取得部により取得された拍位置、および前記均等拍位置算出部により算出された均等拍位置を比較する拍位置比較部と、
前記拍位置比較部の比較結果に基づいて、前記楽曲データのジャンルを判定するジャンル判定部と、
を備えていることを特徴とする。【０００８】
本発明の楽曲解析プログラムは、
コンピュータを、
楽曲データの拍位置を検出、または外部機器で検出した拍位置を取得する拍位置取得部と、
前記楽曲データを、一定の拍間隔で分割した均等拍位置を算出する均等拍位置算出部と、
前記拍位置取得部により取得された拍位置、および前記均等拍位置算出部により算出された均等拍位置を比較する拍位置比較部と、
前記拍位置比較部の比較結果に基づいて、前記楽曲データのジャンルを判定するジャンル判定部と、
として機能させることを特徴とする。
【図面の簡単な説明】
【０００９】
【図１】本発明の考え方を説明するための模式図。
【図２】本発明の実施形態に係る楽曲解析装置の構成を示すブロック図。
【図３】前記実施形態における拍位置の取得方法を説明するための模式図。
【図４】前記実施形態における楽曲データの拍位置と、均等拍位置との比較の状態を説明するための模式図。
【図５】前記実施形態の作用を説明するためのフローチャート。
【発明を実施するための形態】
【００１０】
［１］本発明の考え方
一般に、演奏者が演奏する楽曲データＳＤの拍位置は、図１に示すように、楽曲データＳＤをコンピュータのクロック等で均等に分割した均等拍位置に対して、時間経過とともに連続的に変動している。たとえば、図１の場合であれば、１１小節目の場合、均等拍位置に対して、楽曲データＳＤの拍位置は、均等拍位置とほぼ同じであるが、４３小節目になると、均等拍位置に対して遅れている。さらに、１０７小節目になると、逆に均等拍位置よりも楽曲データＳＤの拍位置の方が、早くなっている。
【００１１】
これに対して、クラブミュージック、ダンスミュージックといったジャンルの楽曲データＳＤでは、コンピュータ等で楽器音を入力し、正確なクロックのシーケンサーで再生していることが多く、基本的には、均等拍位置と同じで楽曲データＳＤの拍位置を設定できるため、均等拍位置とまったく同じか、曲中位置（楽曲における位置）によらず一定のずれが生じている状態となる。
本発明は、楽曲データＳＤの拍位置が、均等拍位置に対してどのようなずれを生じているかを比較することによって、クラブミュージック、ダンスミュージックといった楽曲ジャンルを判定する。
【００１２】
［２］楽曲解析装置１の構成
図２には、本発明の実施形態に係る楽曲解析装置１が示されている。楽曲解析装置１は、ＣＰＵ２およびハードディスク等の記憶装置３を備えたコンピュータ上で実行される楽曲解析プログラムとして構成され、楽曲解析装置１には、照明機器５を制御する照明制御部４が接続される。
楽曲解析装置１は、入力される楽曲データＳＤの楽曲ジャンルを判定し、判定された楽曲データＳＤの楽曲ジャンルに基づいて、照明モードを出力する。照明制御部４では、楽曲解析装置１から出力された照明モードに基づいて、照明機器５の照明制御を行い、楽曲ジャンルに応じた照明演出を実行する。
【００１３】
楽曲データＳＤは、ＷＡＶ、ＭＰ３等のデジタルデータから構成され、ＦＦＴ解析等により楽曲の拍位置が解析されている。楽曲データＳＤは、ＣＤプレーヤ、ＤＶＤプレーヤ等の楽曲再生装置で再生された楽曲データを、ＵＳＢケーブル等により、楽曲解析装置１に取り込んだものでもよいし、記憶装置３に保存されたデジタル楽曲データを再生したものでもよい。
【００１４】
楽曲解析装置１は、ＣＰＵ２上で実行される楽曲解析プログラムとしての拍位置取得部２１、均等拍位置算出部２２、拍位置比較部２３、ジャンル判定部２４、および照明モード設定部２５を備える。
拍位置取得部２１は、楽曲データＳＤの拍位置を取得する。具体的には、拍位置取得部２１は、楽曲データＳＤ中のバスドラムの発音位置が、１６分音符スロット内の何サンプル目に存在するかを検出する。たとえば、図３に示すように、拍位置取得部２１は、バスドラムの波形の立ち上がり位置を検出し、１拍を４分割した１６分音符の拍間隔のどこにいるかによって、バスドラムの発音位置の拍位置を取得する。なお、拍位置取得部２１は、自身で楽曲データＳＤの拍位置を検出してもよいし、外部機器により予め検出された楽曲データＳＤの拍位置を取得するように構成してもよい。
【００１５】
均等拍位置算出部２２は、楽曲データＳＤを、一定の拍間隔で分割した均等拍位置を算出する。具体的には、均等拍位置算出部２２は、楽曲データＳＤを１６分音符の拍間隔で分割して、均等拍位置を算出する。
拍位置比較部２３は、拍位置取得部２１で取得された楽曲データＳＤの拍位置と、均等拍位置算出部２２により算出された均等拍位置と、を比較し、互いのずれを検出する。具体的には、拍位置比較部２３は、１６分音符の拍間隔で分割された均等拍位置に対する楽曲データＳＤの拍位置を検出し、検出された数を１６分スロット内の位置のズレサンプル数としてカウントする。
【００１６】
たとえば、図４に示すように、拍位置比較部２３は、２５小節目から４０小節目までで、ズレサンプル数が増加していく傾向から、均等拍位置に対して、楽曲データＳＤの拍位置が遅くなる方向（ずれの時間変化が正の傾き）になっていると判定する。
次に、拍位置比較部２３は、楽曲データＳＤの拍位置が、５２小節目から６６小節目でズレサンプル数が減少していく傾向から、均等拍位置に対して、楽曲データＳＤの拍位置が早くなる方向（ずれの時間変化が負の傾き）になっていると判定する
【００１７】
ジャンル判定部２４は、拍位置比較部２３の比較結果に基づいて、楽曲データのジャンルを判定する。具体的には、図４に示すように、ジャンル判定部２４は、均等拍位置に対して、楽曲データＳＤの拍位置が、４小節以上の傾向で、時間的にずれて（変動して）いて、その変動の傾向（傾き）が一定でない場合に、クラブミュージック、ダンスミュージックではないと判定する。一方、ジャンル判定部２４は、均等拍位置に対して、楽曲データＳＤの拍位置が同じ（ずれなし）か、変動（ずれ）があっても、その変動が一定または変動の傾きが一定であるならば、クラブミュージック、ダンスミュージックであると判定する。
【００１８】
照明モード設定部２５は、ジャンル判定部２４により判定された楽曲データＳＤのジャンルに基づいて、照明モードを設定する。本実施形態では、クラブミュージック、ダンスミュージック用の照明モードと、それ以外の照明モードが設定されており、照明モード設定部２５は、ジャンル判定部２４により、楽曲データＳＤがクラブミュージック、ダンスミュージックであると判定されたら、クラブミュージック、ダンスミュージック用の照明モードを設定する。
照明制御部４は、照明モードに応じた照明制御指令を照明機器５に出力し、楽曲ジャンルに応じた照明演出が実行される。
【００１９】
［３］楽曲解析装置１の作用および効果
次に、楽曲解析装置１の作用および効果を図５に示すフローチャートに基づいて説明する。
拍位置取得部２１は、楽曲データＳＤの拍位置を取得する（手順Ｓ１）。
均等拍位置算出部２２は、楽曲データＳＤの、楽曲先頭の拍位置と楽曲最後の拍位置を１６分音符の拍間隔で分割し、均等拍位置を算出する（手順Ｓ２）。
【００２０】
拍位置比較部２３は、楽曲データＳＤの拍位置と、均等拍位置との間にずれがあるか否かを判定する（手順Ｓ３）。
ずれがある場合、拍位置比較部２３は、ずれの時間変化（傾き）が一定であるか否かを判定する（手順Ｓ４）。
ずれの時間変化（傾き）が一定である場合、ジャンル判定部２４は、楽曲データＳＤの拍位置が誤検出であると判定し、楽曲データＳＤの楽曲ジャンルをクラブミュージック、ダンスミュージックであると判定する（手順Ｓ５）。
【００２１】
ずれの時間変化（傾き）が一定でない場合、ジャンル判定部２４は、楽曲データＳＤの楽曲ジャンルをクラブミュージック、ダンスミュージックではないと判定する（手順Ｓ６）。
一方、手順Ｓ３において、楽曲データＳＤの拍位置と均等拍位置の間にずれがないと判定された場合、ジャンル判定部２４は、楽曲データＳＤの楽曲ジャンルをクラブミュージック、ダンスミュージックであると判定する（手順Ｓ５）。
【００２２】
照明モード設定部２５は、ジャンル判定部２４の判定結果に基づいて、照明モードを設定する（手順Ｓ７）。
設定された照明モードは、照明制御部４に出力され、照明制御部４では、設定された照明モードに応じて照明機器５の照明制御を実施する。
【００２３】
このような本実施形態によれば、拍位置比較部２３によって、楽曲データＳＤの拍位置と均等拍位置とのずれの時間変化（傾き）が一定であるか否かを判定することができるため、クラブミュージック、ダンスミュージック等の楽曲ジャンルを、直ちに判定できる。したがって、楽曲データＳＤの楽曲ジャンルに応じた照明制御を迅速に行うことができる。
【符号の説明】
【００２４】
１…楽曲解析装置、２…ＣＰＵ、３…記憶装置、４…照明制御部、５…照明機器、２１…拍位置取得部、２２…均等拍位置算出部、２３…拍位置比較部、２４…ジャンル判定部、２５…照明モード設定部、ＳＤ…楽曲データ。
【図１】
2019053766.tif 000003
【図２】
2019053766.tif 000004
【図３】
2019053766.tif 000005
【図４】
2019053766.tif 000006
【図５】
2019053766.tif 000007
【国際調査報告】
2019053766.tif 000008
2019053766.tif 000009